(57)【特許請求の範囲】
【請求項１】
無線通信のための方法であって、
第２の装置が、第１の基準信号を第１の装置から受信することと、ここにおいて、前記第１の基準信号は、共に第１のネットワークと関連するネットワーク共有情報および時間同期情報と、前記第１の装置と関連する特定の情報とを備える、
前記第２の装置と関連する特定の情報を含むために前記第１の基準信号内の前記ネットワーク共有情報を更新することによって、第２の基準信号を生成することと、
定義された時間において前記第２の基準信号を送信することと、ここにおいて、前記定義された時間は、前記第１の装置によって前記第１の基準信号の後の送信と関連するいかなる干渉も最小にするように選択される、
前記第１のネットワークとの関連を維持する間に、前記第２の装置によって、第２のネットワークと関連する情報を具備する第３の基準信号を送信することと
を備え、前記第２のネットワークと関連する前記情報は、前記第１の基準信号からの時間同期情報およびネットワーク共有情報を備え、前記第２の基準信号の前記送信は、前記第２の装置と関連する１つまたは複数のアンテナが送信することができるすべての指向性において前記第２の基準信号をブロードキャストすることを備える、
方法。
【請求項２】
前記第２の基準信号は、ビーコンを備える、
請求項１に記載の方法。
【請求項３】
前記第２の基準信号は、第３の装置から受信されたプローブ要求に応答して生成されたプローブ応答を備える、
請求項１に記載の方法。
【請求項４】
前記第２の基準信号は、前記第３の装置から受信された前記プローブ要求に応答して送信される、
請求項３に記載の方法。
【請求項５】
前記プローブ要求は、全指向性で受信される、
請求項３に記載の方法。
【請求項６】
前記定義された時間は、競合アクセス期間または専用のサービス期間内である、
請求項１に記載の方法。
【請求項７】
前記第２の基準信号は、前記第１の装置によって前記第１の基準信号の送信の頻度を下回る頻度で送信される、
請求項１に記載の方法。
【請求項８】
前記第２の装置によって、第３の装置から発見要求を受信することと、
前記第３の装置が前記第１のネットワークにアクセスすることの適格性を決定するために前記発見要求を処理することと、
前記第３の装置へ応答を送信することと、
をさらに備え、前記応答は、前記第１のネットワークと関連する前記ネットワーク共有情報および前記第１の装置と関連する特定の情報を備える、
請求項１に記載の方法。
【請求項９】
前記ネットワーク共有情報は、
共通のクロックに対するタイムスタンプセット、
前記第１のネットワークのための識別子、
前記第１のネットワークに関する能力情報、
基準信号送信間隔、
前記第１のネットワーク値に認められる装置の最大数、または
どの装置が、前記ネットワーク共有情報を含む基準信号を送信しうるのかを限定する基準信号送信制限セット
のうちの少なくとも１つを備える、
請求項１に記載の方法。
【請求項１０】
前記基準信号送信制限セットは、装置能力に基づいて決定される、
請求項９に記載の方法。
【請求項１１】
前記特定の情報は、
送信指向性、
受信指向性、
近隣のリスト、
拡張された近隣のリスト、
競合アクセス期間についての情報、
サービス期間についての情報、または
ビームトレーニング期間についての情報
のうちの少なくとも１つを備える、
請求項１に記載の方法。
【請求項１２】
前記近隣のリストは、前記第２の装置との接続を確立した任意の他の装置と関連する情報を備える、請求項１１に記載の方法。
【請求項１３】
前記近隣のリストは、他の装置からの１つまたは複数の近隣のリストを備え、前記第２の装置は、他の装置から前記第１または第２の基準信号のうちの少なくとも１つを受信する、
請求項１１に記載の方法。
【請求項１４】
前記拡張された近隣のリストは、他の装置からの１つまたは複数の近隣のリストを備え、前記第２の装置は、他の装置から前記第１または第２の基準信号のうちの少なくとも１つを受信する、
請求項１１に記載の方法。
【請求項１５】
前記第１の基準信号は、ＩＥＥＥ８０２．１１プロトコルを使用して受信される、
請求項１に記載の方法。
【請求項１６】
前記定義された時間は、
ラウンドロビン送信プロトコル、
ランダムバックオフ送信プロトコル、または
前記第１のネットワークと関連する１つまたは複数の装置から得られる情報からの支援をともなう支援されたランダムバックオフ送信プロトコル
のうちの少なくとも１つを使用して選択される、
請求項１に記載の方法。
【請求項１７】
前記第１の基準信号は、
前記第１のネットワークと関連する時間同期情報、ここにおいて、前記時間同期は、最大時間ドリフト閾値を使用して維持される、
ビーコン、
プローブ応答、または
プローブ要求
のうちの少なくとも１つを備える、
請求項１に記載の方法。
【請求項１８】
コンピュータプログラムであって、
第２の装置が、第１の基準信号を第１の装置から受信し、ここにおいて、前記第１の基準信号は、共に第１のネットワークと関連するネットワーク共有情報および時間同期情報と、前記第１の装置と関連する特定の情報とを備える、
前記第２の装置と関連する特定の情報を含むために前記第１の基準信号内の前記ネットワーク共有情報を更新することによって第２の基準信号を生成し、
定義された時間において前記第２の基準信号を送信し、ここにおいて、前記定義された時間は、前記第１の装置によって前記第１の基準信号の後の送信と関連するいずれの干渉も最小にするように選択される、
前記第１のネットワークとの関連を維持する間に、前記第２の装置によって、第２のネットワークと関連する情報を具備する第３の基準信号を送信する、
ようにコンピュータに実行可能なコードを備え、前記第２のネットワークと関連する前記情報は、前記第１の基準信号からの時間同期情報およびネットワーク共有情報を備え、前記第２の基準信号の前記送信は、前記第２の装置と関連する１つまたは複数のアンテナが送信することができるすべての指向性において前記第２の基準信号をブロードキャストすることを備える、
コンピュータプログラム。
【請求項１９】
無線通信のための装置であって、
第１の装置から第１の基準信号を受信するための手段と、ここにおいて前記第１の基準信号は、共に第１のネットワークと関連するネットワーク共有情報および時間同期情報と、前記第１の装置と関連する特定の情報とを備える、
前記装置と関連する特定の情報を含むために前記第１の基準信号内の前記ネットワーク共有情報を更新することによって第２の基準信号を生成するための手段と、
定義された時間において前記第２の基準信号を送信するための手段と、ここにおいて、前記定義された時間は、前記第１の装置によって前記第１の基準信号の後の送信と関連するいかなる干渉も最小にするように選択される、
前記第１のネットワークとの関連を維持する間に、前記第２の装置によって、第２のネットワークと関連する情報を具備する第３の基準信号を送信するための手段と
を備え、前記第２のネットワークと関連する前記情報は、前記第１の基準信号からの時間同期情報およびネットワーク共有情報を備え、前記送信するための手段は、前記装置と関連する１つまたは複数のアンテナが送信することができるすべての指向性において前記第２の基準信号をブロードキャストするための手段をさらに備える、
装置。
【請求項２０】
前記第２の基準信号は、ビーコン送信である、
請求項１９に記載の装置。
【請求項２１】
前記第２の基準信号は、第３の装置から受信されるプローブ要求に応答して生成されるプローブ応答を備える、
請求項１９に記載の装置。
【請求項２２】
前記第２の基準信号は、前記第３の装置から受信される前記プローブ要求に応答して送信される、
請求項２１に記載の装置。
【請求項２３】
前記プローブ要求は、全指向性で受信される、
請求項２１に記載の装置。
【請求項２４】
前記定義された時間は、競合アクセス期間または専用のサービス期間内である、
請求項１９に記載の装置。
【請求項２５】
前記送信するための手段は、前記第１の装置によって前記第１の基準信号の送信の頻度よりも少ない頻度で前記第２の基準信号を送信するための手段をさらに備える、
請求項１９に記載の装置。
【請求項２６】
前記受信するための手段は、第３の装置から発見要求を受信するための手段と、
前記第３の装置が前記第１のネットワークにアクセスすることの適格性を決定するために前記発見要求を処理するための手段と
をさらに備え、前記送信するための手段は、前記第３の装置へ応答を送信するための手段をさらに備え、前記応答は、前記第１のネットワークと関連する前記ネットワーク共有情報および前記第１の装置と関連する特定の情報を備える、
請求項１９に記載の装置。
【請求項２７】
前記ネットワーク共有情報は、
共通クロックに対するタイムスタンプセット、
前記第１のネットワークのための識別子、
前記第１のネットワークに関する能力情報、
基準信号送信間隔、
前記第１のネットワーク値に認められる装置の最大数、または
どの装置が、前記ネットワーク共有情報を含む基準信号を送信することができるかを限定する基準信号送信制限セット
のうちの少なくとも１つを備える、
請求項１９に記載の装置。
【請求項２８】
前記基準信号送信制限セットは、装置能力に基づく、
請求項２７に記載の装置。
【請求項２９】
前記特定の情報は、
送信指向性、
受信指向性、
近隣のリスト、
拡張された近隣のリスト、
競合アクセス期間についての情報、
サービス期間についての情報、または
ビームトレーニング期間についての情報
のうちの少なくとも１つを備える、
請求項１９に記載の装置。
【請求項３０】
前記近隣のリストは、前記装置との接続を確立した任意の他の装置と関連する情報を備える、
請求項２９に記載の装置。
【請求項３１】
前記近隣のリストは、他の装置からの１つまたは複数の近隣のリストを備え、前記装置は、他の装置から前記第１または第２の基準信号のうちの少なくとも１つを受信する、
請求項２９に記載の装置。
【請求項３２】
前記拡張された近隣のリストは、他の装置からの１つまたは複数の近隣のリストを備え、前記装置は、他の装置から前記第１または第２の基準信号のうちの少なくとも１つを受信する、
請求項２９に記載の装置。
【請求項３３】
受信するための手段は、ＩＥＥＥ８０２．１１プロトコルを使用して前記第１の基準信号を受信するための手段をさらに備える、
請求項１９に記載の装置。
【請求項３４】
前記定義された時間は、
ラウンドロビン送信プロトコル、
ランダムバックオフ送信プロトコル、または
前記第１のネットワークと関連する１つまたは複数の装置から得られる情報からの支援をともなう支援されたランダムバックオフ送信プロトコル
のうちの少なくとも１つを使用して選択される、
請求項１９に記載の装置。
【請求項３５】
前記第１の基準信号は、
前記第１のネットワークと関連する時間同期情報、ここにおいて、前記時間同期は、最大時間ドリフト閾値を使用して維持される、
ビーコン、
プローブ応答、または
プローブ要求
のうちの少なくとも１つを備える、
請求項１９に記載の装置。
【請求項３６】
アンテナと、
第１の装置から第１の基準信号を受信するように構成された受信機と、ここにおいて、前記第１の基準信号は、共に第１のネットワークと関連するネットワーク共有情報および時間同期情報と、前記第１の装置と関連する特定の情報とを備える、
前記局と関連する特定の情報を含むために前記第１の基準信号内の前記ネットワーク共有情報を更新することによって第２の基準信号を生成するように構成される、前記アンテナに結合された処理システムと、
定義された時間において前記第２の基準信号を送信するように構成され、ここにおいて、前記定義された時間は、前記第１の装置によって前記第１の基準信号の後の送信と関連するいずれかの干渉を最小にするように選択される、
前記第１のネットワークとの関連を維持する間に、第２のネットワークと関連する情報を具備する第３の基準信号を送信するように構成された送信機と
を備え、前記第２のネットワークと関連する前記情報は、前記第１の基準信号からの時間同期情報およびネットワーク共有情報を備え、前記送信機は、前記装置と関連する１つまたは複数のアンテナが送信することができるすべての指向性において前記第２の基準信号をブロードキャストするようにさらに構成される、
局。
【請求項３７】
通信のための装置であって、
第１の装置から第１の基準信号を受信するように構成された受信機と、ここにおいて、前記第１の基準信号は、共に第１のネットワークと関連するネットワーク共有情報および時間同期情報と、前記第１の装置と関連する特定の情報とを備える、
前記装置と関連する特定の情報を含むために前記第１の基準信号内の前記ネットワーク共有情報を更新することによって第２の基準信号を生成するように構成される処理システムと、
定義された時間において前記第２の基準信号を送信するように構成され、ここにおいて、前記定義された時間は、前記第１の基準信号の前記受信と関連するいずれの干渉も最小にするように選択される、
前記第１のネットワークとの関連を維持する間に、第２のネットワークと関連する情報を具備する第３の基準信号を送信するように構成された送信機と
を備え、前記第２のネットワークと関連する前記情報は、前記第１の基準信号からの時間同期情報およびネットワーク共有情報を備え、前記送信機は、前記装置と関連する１つまたは複数のアンテナが送信することができるすべての指向性において前記第２の基準信号をブロードキャストするようにさらに構成される、
装置。
【請求項３８】
前記第２の基準信号は、ビーコン送信である、
請求項３７に記載の装置。
【請求項３９】
前記第２の基準信号は、第３の装置から受信されるプローブ要求に応答して生成されるプローブ応答を備える、
請求項３７に記載の装置。
【請求項４０】
前記第２の基準信号は、前記第３の装置から受信される前記プローブ要求に応答して送信される、
請求項３９に記載の装置。
【請求項４１】
受信機は、全指向性で受信される前記プローブ要求を受信するようにさらに構成される、
請求項３９に記載の装置。
【請求項４２】
前記定義された時間は、競合アクセス期間または専用のサービス期間内である、
請求項３７に記載の装置。
【請求項４３】
前記送信機は、前記第１の装置によって前記第１の基準信号の送信の頻度を下回る頻度で前記第２の基準信号を送信するようにさらに構成される、
請求項３７に記載の装置。
【請求項４４】
前記受信機は、第３の装置から発見要求を受信するようにさらに構成され、
前記処理システムは、前記第３の装置が前記第１のネットワークにアクセスすることの適格性を決定するために前記発見要求を処理するようにさらに構成され、
前記送信機は、前記第３の装置へ応答を送信するようにさらに構成され、前記応答は、前記第１のネットワークと関連する前記ネットワーク共有情報および前記第１の装置と関連する特定の情報を備える、
請求項３７に記載の装置。
【請求項４５】
前記ネットワーク共有情報は、
共通クロックに対するタイムスタンプセット、
前記第１のネットワークのための識別子、
前記第１のネットワークに関する能力情報、
基準信号送信間隔、
前記第１のネットワーク値に認められる装置の最大数、または
どの装置が、前記ネットワーク共有情報を含む基準信号を送信することができるのかを限定する基準信号送信制限セット
のうちの少なくとも１つを備える、
請求項３７に記載の装置。
【請求項４６】
前記基準信号送信制限セットは、装置能力に基づく、
請求項４５に記載の装置。
【請求項４７】
前記特定の情報は、
送信指向性、
受信指向性、
近隣のリスト、
拡張された近隣のリスト、
競合アクセス期間についての情報、
サービス期間についての情報、または
ビームトレーニング期間についての情報
のうちの少なくとも１つを備える、
請求項３７に記載の装置。
【請求項４８】
前記近隣のリストは、前記装置との接続を確立した任意の他の装置と関連する情報を備える、
請求項４７に記載の装置。
【請求項４９】
前記近隣のリストは、他の装置からの１つまたは複数の近隣のリストを備え、前記装置は、他の装置から前記第１または第２の基準信号のうちの少なくとも１つを受信する、
請求項４７に記載の装置。
【請求項５０】
前記拡張された近隣のリストは、他の装置からの１つまたは複数の近隣のリストを備え、前記装置は、他の装置から前記第１または第２の基準信号のうちの少なくとも１つを受信する、
請求項４７に記載の装置。
【請求項５１】
前記受信機は、ＩＥＥＥ８０２．１１プロトコルを使用して前記第１の基準信号を受信するようにさらに構成される、
請求項３７に記載の装置。
【請求項５２】
前記定義された時間は、
ラウンドロビン送信プロトコル、
ランダムバックオフ送信プロトコル、または
前記第１のネットワークと関連する１つまたは複数の装置から得られる情報からの支援をともなう支援されたランダムバックオフ送信プロトコル
のうちの少なくとも１つを使用して選択される、
請求項３７に記載の装置。
【請求項５３】
前記第１の基準信号は、
前記第１のネットワークと関連する時間同期情報、前記時間同期は、最大時間ドリフト閾値を使用して維持される、
ビーコン、
プローブ応答、または
プローブ要求
のうちの少なくとも１つを備える、
請求項３７に記載の装置。
【発明の詳細な説明】
【関連出願の参照】
【０００１】
本願は、２００９年１１月２０日付けで出願された「METHODS AND APPARATUS FOR ENABLING DISTRIBUTED BEACON TRANSMISSIONS」という名称の米国仮出願第61/263,241号および２０１０年２月１０日付けで出願された「METHODS AND APPARATUS FOR ENABLING DISTRIBUTED BEACON TRANSMISSIONS」という名称の米国仮出願第61/303,081号に基づいて優先権を主張するものであって、その内容は、参照によって本明細書に明白に組み込まれる。
【技術分野】
【０００２】
本開示は、一般に、通信システムに関し、より詳細には、指向性の通信ネットワークにおいて配信されたビーコン送信をサポートすることに関する。
【背景技術】
【０００３】
［序章］  
無線通信システムに要求される帯域幅要求を増加させる問題に対処するために、高データスループットを達成しつつ、チャネルリソースを共有することによって、複数のユーザ端末が通信することを可能にするために、異なる方式が開発されている。複数入力または複数出力（ＭＩＭＯ）技術は、次世代通信システム用の一般的な技術として最近出現した１つのアプローチを代表する。ＭＩＭＯ技術は、電気通信学会（ＩＥＥＥ）８０２．１１標準のようないくつかの新興無線通信標準に採用された。ＩＥＥＥ８０２．１１は、短距離通信（例えば、数十メートルから数百メートル）に関するＩＥＥＥ８０２．１１委員会によって開発された１セットの無線ローカルエリアネットワーク（ＷＬＡＮ）エアインターフェース標準を意味する。例えば、８０２．１１ａｄ／ａｃ／ａ／ｂ／ｇ／ｎである。
【０００４】
一般に、ＩＥＥＥ８０２．１１標準によって指定される無線通信システムは、異なるデバイス間の通信を管理するアクセスポイント（ＡＰ）／ポイント調整機能（ＰＣＦ：point coordination function）のような中央エンティティを有し、局（ＳＴＡ）とも呼ばれる。中央エンティティを有することは、通信プロトコルの設計を簡単化しうる。さらに、ビーコン信号を送信することができる任意のデバイスは、ＡＰとして役立ちうるが、ＡＰが有効になるために、ネットワーク内のすべてのＳＴＡに対して良いリンク品質を有していなければならない場合がある。信号の減衰が比較的ひどい、ある高周波数で、通信は、事実上指向性があり、利得を増加させるためにビームフォーミング（例えば、ビームトレーニング）を使用しうる。そのため、ＡＰは、効果的になるために以下の責任（responsibilities）を階層化しうる。ＡＰは、大きいセクタ境界（例えば、広いステアリング能力）を有しうる。ＡＰは、大きいビームフォーミング利得（例えば、複数のアンテナ）を有しうる。ＡＰは、取り付けられうるので、天井の上のような、ネットワーク内のほとんどのエリアにサイトパスのラインが存在する。ＡＰは、周期的なビーコン送信および他の管理機能のために安定した電力供給を使用しうる。
【０００５】
モバイル無線通信デバイス（ＷＣＤ）（例えば、ラップトップ、スマートフォンなど）は、コスト、電力、形状要因などのような要因により従来のＡＰのものに対して比較的能力を低下させたかもしれない。例えば、アンテナステアリング能力は、小さいセクタ境界に限定される場合があり、利用可能な電力が限定される場合があり、位置が変動する場合があるなどである。これらの限定をともなってもなお、ＷＣＤは、サイドローディング、ファイル共有などのような様々な目的のためにピア・ツー・ピアネットワークを形成するためのＡＰとして実行するよう求められうる。例えば、ＷＣＤは、デバイスがすべての他のデバイスへ効率的に送信し、すべての他のデバイスから効率的に受信しない場合に、ピア・ツー・ピアネットワークを形成するよう求められうる。さらに、例えば、ＷＣＤは、デバイスが所定のピア・ツー・ピアネットワークと関連付けられることを可能にする、配信されたデバイス発見プロトコルを指定するように求められうる。
【発明の概要】
【０００６】
以下は、１つまたは複数の態様の基本的な理解を提供するために１つまたは複数の態様の単純化された要約を提供する。この要約は、すべての熟考される態様の広範な外観ではなく、すべての態様のキーまたは重大なエレメントを識別するようにも、任意のまたはすべての態様の範囲を描写するようにも意図されない。その唯一の目的は、後に提示される、より詳細な説明の前置きとして単純化された形式で１つまたは複数の態様のいくつかの概念を提示することである。
【０００７】
１つまたは複数の態様およびそれらのものの対応する開示にしたがって、指向性の通信ネットワーク内で配信されたビーコン送信をサポートすることと関係して様々な態様が説明される。１つの態様にしたがって、指向性の通信ネットワーク内で配信されたビーコン送信をサポートするための方法が提供される。この方法は、第２の装置によって、第１の装置から第１の基準信号を受信することを備え、第１の基準信号は、第１のネットワークと関連するネットワーク共有情報および第１の装置と関連する特定の情報を備える。さらに、この方法は、第２の装置と関連する特定の情報を含むために第１の基準信号内のネットワーク共有情報を更新することによって第２の基準信号を生成することを備えることができる。さらに、この方法は、定義された時間において第２の基準信号を送信することを備えることができ、定義された時間は、第１の装置によって第１の基準信号の後の送信と関連するいずれかの干渉を最小にするように選択される。
【０００８】
コンピュータプログラムプロダクトと関係する他の態様は、コンピュータ可読媒体を備える。このコンピュータ可読媒体は、第２の装置によって、第１の装置から第１の基準信号を受信するように実行可能なコードを備え、第１の基準信号は、第１のネットワークと関連するネットワーク共有情報および第１の装置と関連する特定の情報を備える。さらに、このコンピュータ可読媒体は、第２の装置と関連する特定の情報を含むために第１の基準信号内のネットワーク共有情報を更新することによって第２の基準信号を生成するように実行可能なコードを備える。さらに、このコンピュータ可読媒体は、定義された時間において第２の基準信号を送信するように実行可能なコードを備え、定義された時間は、第１の装置によって第１の基準信号の後の送信と関連するいかなる干渉も最小にするように選択される。
【０００９】
さらに他の態様は、装置に関係する。この装置は、第１の装置から第１の基準信号を受信するための手段を備えることができ、第１の基準信号は、第１のネットワークと関連するネットワーク共有情報および第１の装置と関連する特定の情報を備える。さらに、この装置は、装置と関連する特定の情報を含むために第１の基準信号内のネットワーク共有情報を更新することによって第２の基準信号を生成するための手段を備えることができる。さらに、この装置は、定義された時間において第２の基準信号を送信するための手段を備えることができ、定義された時間は、第１の装置によって第１の基準信号の後の送信と関連するいかなる干渉も最小にするように選択される。
【００１０】
他の態様は、局に関係する。この局は、アンテナを含むことができる。さらに、この局は、アンテナに結合される処理システムを含むことができ、この処理システムは、第１の装置から第１の基準信号を受信し、ここにおいて、第１の基準信号は、第１のネットワークと関連するネットワーク共有情報および第１の装置と関連する特定の情報を備える、局と関連する特定の情報を含むために第１の基準信号内のネットワーク共有情報を更新することによって第２の基準信号を生成し、定義された時間において第２の基準信号を送信するように構成され、定義された時間は、第１の装置によって第１の基準信号の後の送信と関連するいかなる干渉も最小にするように選択される。
【００１１】
他の態様は、装置に関係する。この装置は、第１の装置から第１の基準信号を受信し、ここにおいて、第１の基準信号は、第１のネットワークと関連するネットワーク共有情報および第１の装置と関連する特定の情報を備える、装置と関連する特定の情報を含むために第１の基準信号内のネットワーク共有情報を更新することによって第２の基準信号を生成し、定義された時間において第２の基準信号を送信するように構成される処理システムを含むことができ、定義された時間は、第１の装置によって第１の基準信号の後の送信と関連するいかなる干渉も最小にするように選択される。
【００１２】
前述および関連する目的の達成のために、１つまたは複数の態様は、以下で十分に説明され、特許請求の範囲において特に指摘される特徴を備える。以下の説明および添付の図面は、１つまたは複数の態様のある例示的な特徴を詳細に述べる。しかしながら、これらの特徴は、様々な態様の原理が採用される様々な方法のうちのいくつかを示すが、この説明は、すべてのそのような態様およびそれらの同等物を含むよう意図される。
【図面の簡単な説明】
【００１３】
本願のこれらおよび他のサンプル態様が以下の詳細な説明および添付の図面において説明される。
【図１】図１は、ある態様にしたがって、通信ネットワークのブロック図を例示する。
【図２】図２は、指向性の通信ネットワーク内で配信されたビーコン送信をサポートする通信ネットワークの態様のフローチャートである。
【図３Ａ】図３Ａは、ある態様にしたがって、スーパーフレーム内で複数のタイムスロット予約を備えるブロック図を例示する。
【図３Ｂ】図３Ｂは、ある態様にしたがって、予約されたタイムスロットを通して装置と複数のネットワークを関連付ける複数のスーパーフレームを備えるブロック図を例示する。
【図４】図４は、指向性の通信ネットワーク内で配信されたビーコン送信をサポートする通信ネットワークのコールフロー図を例示する。
【図５】図５は、無線通信デバイスのアーキテクチャの一例のブロック図を例示する。
【図６】図６は、無線ノードのアーキテクチャの一例の他のブロック図を例示する。
【図７】図７は、無線ノードにおける処理システムのためのハードウェア構成の一例を例示する概念図を例示する。
【図８】図８は、サンプル装置の機能性を例示する概念的ブロック図である。
【００１４】
一般的な方法にしたがって、図面のいくつかは、明瞭さのために簡略化されうる。したがって、図面は、所与の装置（例えば、デバイス）または方法のコンポーネントのすべてを図示するわけではない。最後に、詳細な説明および図面全体にわたって同様の特徴を示すために同様の参照数字が使用されうる。
【発明の詳細な説明】
【００１５】
添付の図面を参照して、方法および装置の様々な態様が以下でより十分に説明される。しかしながら、これらの方法および装置は、多くの異なる形式で具体化されることができ、本開示の全体にわたって示される任意の特定の構造または機能に限定されるものとして解釈されるべきではない。むしろ、本開示が十分および完全であり、これらの方法および装置の範囲を当業者に十分に伝えるようにこれらの態様が提供される。本願の記述、本願の教示に基づいて、当業者は、本開示の範囲が、本開示の任意の態様と独立して実装されるか、またはそれらと組み合わされて実装されるかにかかわらず、本願において開示される方法および装置のいかなる態様もカバーするように意図されることを理解すべきである。例えば、本願において述べられる任意の数の態様を使用して装置が実装されるまたは方法が実施されうる。さらに、本開示の範囲は、本願に述べられる開示の様々な態様に加えて、または様々な態様以外に、他の構造、機能性、または構造および機能性を使用して実施されるそのような装置または方法をカバーするよう意図される。本開示の任意の態様が特許請求の範囲の１つまたは複数のエレメントによって具体化され得ることが理解されるべきである。
【００１６】
無線ネットワークのいくつかの態様が、図１を参照してこれから示される。無線通信システム１００は、一般に、ノード１１０、１２０、１３０、および１４０として指定されるいくつかの無線ノードにより図示される。この場合、いくつかのノード１１０、１２０、１３０、および１４０は、定義されたカバレッジ領域１１２内で通信することを可能にする指向性ベースのプロトコルを使用して通信することができる。本願において使用されるように、無線ノード１１０、１２０、１３０、および１４０は、無線通信デバイス（ＷＣＤ）、ユーザ装置（ＵＥ）、ラップトップなどと呼ばれうる。各無線ノードは、受信するおよび／または送信することができる。以下の詳細な説明では、ダウンリンク通信に関して、用語「アクセスポイント」は、送信ノードを指定するために使用され、用語「アクセス端末」は、受信ノードを指定するために使用されるのに対し、アップリンク通信に関して、用語「アクセスポイント」は、受信ノードを指定するために使用され、用語「アクセス端末」は、送信ノードを指定するために使用される。しかしながら、当業者は、アクセスポイントおよび／またはアクセス端末について他の用語または名称が使用されうることを容易に理解するだろう。一例として、アクセスポイントは、基地局、基地トランシーバ局、局、端末、ノード、アクセスポイントとして動作するアクセス端末、ＷＬＡＮデバイス、またはいくつかの他の適切な用語で呼ばれうる。アクセス端末は、ユーザ端末、モバイル局、加入者局、局、無線デバイス、端末、ノード、またはいくつかの他の適切な用語で呼ばれうる。本開示の全体にわたって説明される様々な概念は、それらの特定の名称にかかわらずすべての適切な無線ノードに適用するよう意図される。
【００１７】
無線通信システム１００は、地理的な領域の全体にわたって配置されたアクセス端末をサポートすることができる。接続支援システム１２０は、アクセス端末の調整ならびに制御、および他のネットワーク（例えば、インターネット）へのアクセスを提供するために使用されうる。固定またはモバイルでありうるアクセス端末は、アクセスポイントのバックホールサービスを使用するか、または他のアクセス端末とのピア・ツー・ピア通信に従事しうる。アクセス端末の事例は、電話（例えば、携帯電話）、ラップトップコンピュータ、デスクトップコンピュータ、携帯情報端末（ＰＤＡ）、デジタルオーディオプレイヤ（例えば、ＭＰ３プレイヤ）、カメラ、ゲームコンソール、または任意の他の適切な無線ノードを含む。
【００１８】
一般に、図１に図示されるように、複数の無線ノード１１０、１２０、１３０、および１４０は、どの無線ノードも他のノードのすべてと通信することができない方法で地理的領域の全体にわたって配置されうる。例えば、ＷＣＤ１４０は、ＷＣＤ１１０およびＷＣＤ１３０と通信することができるが、ＷＣＤ１２０とは通信することができない。さらに、各無線ノードは、それが通信することができる異なるカバレッジ領域１１２を有しうる。例えば、ＷＣＤ１４０は、ＷＣＤ１１０より小さいカバレッジ領域を有しうる。
【００１９】
オペレーションでは、ピア・ツー・ピアネットワークが、複数の無線ノード間で確立されうる。１つの態様では、第１のＷＣＤ１２０がオンにされうる。そのような態様では、ＷＣＤ１２０は、任意のビーコン送信について検索しうる。１つのそのような態様では、ＷＣＤ１２０と関連する多指向性／準全指向性アンテナによって定義されるカバレッジ領域にわたる広いカバレッジフォーカスを適用するＷＣＤ１２０によって検索が実行されうる。別のそのような態様では、ＷＣＤ１２０と関連する多指向性／準全指向性アンテナによって定義される灯台のやり方でカバレッジ領域をスイーピングする検索がＷＣＤ１２０によって実行されうる。１つの態様では、検索は、検索持続時間などと定義された時間の間実行されうる。定義された検索持続時間が終了した後、ＷＣＤ１２０は、ビーコン信号、プローブ要求、プローブ応答などのような基準信号を送信しうる。１つの態様では、プローブ要求のような基準信号は、全指向性に送信されうる。そのようなビーコン送信は、周期的に実行されうる。１つの態様では、成功裡な送信の間の期間は、スーパーフレームと呼ばれうる１つの態様では、基準信号は、次のものには制限されないが、共通のクロックをセットするためのタイムスタンプ情報、ピア・ツー・ピアネットワーク識別子、デバイス識別子、能力情報、スーパーフレーム持続時間、送信指向性情報、受信指向性情報、近隣リスト、拡張された近隣リスト、競合アクセス期間、サービス期間、ビームトレーニング期間などのような情報を含みうる。１つの態様では、近隣リストは、最初に空になりうる。他の態様では、近隣のリストは、ビーコン送信装置との接続を確立した任意の装置と関連する情報を含みうる。さらに他の態様では、近隣のリストは、装置からの１つまたは複数の近隣のリストを含むことができ、送信装置は、装置からの１つまたは複数の近隣のリストを受信する。１つの態様では、競合アクセス期間は、他のデバイスが送信にアクセスすることを可能にするために送信期間の後の期間を含みうる。他の態様では、サービス期間は、デバイスが送信を受信するように意図される間の定義された期間を含みうる。そのような態様では、サービス期間は、特定のデバイスに専用のサービス期間でありうる。さらに他の態様では、ビームトレーニング期間は、デバイスがビームトレーニングを実行しうる間の定義された期間を含みうる。検索持続時間、ビーコン、およびスーパーフレームの更なる議論が図３を参照して提供される。
【００２０】
更に、オペレーションでは、ＷＣＤ１１０がアクティベートされることができ、ネットワーク通信を確立するためにシークしうる。１つの態様では、ＷＣＤ１１０の配信されたビーコンモジュール１１４は、指向性の通信ネットワーク内で配信されるビーコン（例えば、基準信号）送信をサポートしうる。さらに、ＷＣＤ１１０の配信されたビーコンモジュール１１４は、アソシエーションプロトコルを使用しうる。そのような態様では、ＷＣＤ１１０は、基準信号送信について検索しうる。１つのそのような態様では、ＷＣＤ１１０と関連する多指向性／準全指向性アンテナによって定義されるカバレッジ領域上で広いカバレッジフォーカスを適用するＷＣＤ１１０によって検索が実行されうる。他のそのような態様では、ＷＣＤ１１０と関連する多指向性／準全指向性アンテナによって定義される灯台のやり方でカバレッジ領域をスイーピングするＷＣＤ１１０によって検索が実行されうる。サンプルオペレーションでは、ＷＣＤ１２０からの基準の検出の際、ＷＣＤ１１０は、検出した基準信号を復号し、１２２をＷＣＤ１２０と関連させることができる。１つの態様では、１２２を関連させることは、ＷＣＤ１２０がＷＣＤ１１０と通信しうることを承認することをさらに含みうる。ＷＣＤ１１０と１２０との間のアソシエーション１２２が確立された後、基準信号により提供された近隣のリストに記憶される情報が更新されうる。
【００２１】
さらに、ＷＣＤ１１０および１２０は、基準信号送信責任を共有しうる（例えば、ＷＣＤ１１０およびＷＣＤ１２０の両方は、基準信号送信タイミングが衝突を回避することを保証する間に、基準信号を送信しうる）。そのような態様では、衝突を回避する間に基準信号を送信することは、様々な送信方式を使用して実行されうる。例えば、ラウンドロビンアプローチでは、異なるデバイスが、スーパーフレームごとに基準信号を代替的に送信する。そのような方式は、存在するデバイスがほとんどないピア・ツー・ピアネットワーク用に効率的に機能しうる。他の事例では、ランダムバックオフ方式が使用されうる。この場合、複数のスーパーフレームについて他のデバイスから基準信号が検出されない場合、デバイスは、自身の基準信号送信周波数を増加させることができる。それに対して、他のデバイスからの基準信号がいくつかのスーパーフレーム内で検出される場合、デバイスは、自身の基準信号送信周波数を減少させることができる。さらに他の事例では、基準信号内のフラグフィールドが、自身の基準信号送信の間にデバイスによってセットおよび／またはリセットされる場合に、支援されたランダムバックオフ方式が使用されうる。したがって、基準信号が複数のスーパーフレームについて観測されない場合、他のデバイスが基準信号送信周波数を増加させるよう要求するために、フラグがセットされることができる。それに対して、基準信号衝突が生じている場合、他のデバイスが基準信号送信周波数を減少させることを要求するために、フラグがリセットされることができる。さらに他の事例では、信号スーパーフレームの間に複数の基準信号が送信されうる。
【００２２】
１つの態様では、基準信号は、ネットワークと関連するＷＣＤの中の共通（例えば共有）情報１１６およびデバイスに固有の情報１１８の両方の情報を含みうる。そのような態様では、共通（例えば、共有）情報１１６は、タイムスタンプ情報、基準信号間隔、ピア・ツー・ピアネットワーク識別子、チャネルアクセスプロトコル情報などを含みうる。さらに、そのような態様では、デバイスに固有の情報１１８は、デバイス識別子、近隣のリストなどを含みうる。
【００２３】
上で説明されたサンプルオペレーションに戻り、ＷＣＤ１４０がアクティベートされうる。図示された態様では、ＷＣＤ１４０と関連づけられたカバレッジ領域１１２は、ＷＣＤ１２０と通信することを認めないが、ＷＣＤ１１０と通信する。さらに、上で議論された次のプロセスでは、ＷＣＤ１４０は、１２４をＷＣＤ１１０と関連付けることができる。ＷＣＤ１１０は、１２２をＷＣＤ１２０と関連付けているので、新しく形成された関連付けられた１２４は、ＷＣＤ１１０における衝突を回避するように確立されうる。さらに、ＷＣＤ１１０によって送信される基準信号によって提供される共通の情報によって、ＷＣＤ１４０は、ＷＣＤ１２０がＷＣＤ１４０のカバレッジ領域１１２内ではないとしても、ＷＣＤ１２０の存在を知っているようになりうる。１つの態様では、ＷＣＤ１４０は、ＷＣＤ１１０へプローブ要求を送信しうる。そのような態様では、ＷＣＤ１１０は、プローブ応答により応答しうる。この場合、プローブ応答は、ネットワークに関する共通の情報１１６を含む。さらに、１つのそのような態様では、プローブ応答はまた、ＷＣＤ１２０と関連付けられる固有の情報１１８を含みうる。無線通信ネットワークのオペレーションに関するさらなる議論が図４を参照して提供される。
【００２４】
１つの態様では、ＷＣＤが、基準信号を送信し、および／または新しいＷＣＤをピア・ツー・ピアネットワークへ関連付けうることに対して制限が置かれうる。例えば、ラップトップ（例えば、ＷＣＤ１１０）およびプリンタ（例えば、ＷＣＤ１２０）は、基準信号送信に対する責任を単独でとりうる。そのような事例では、追加の周囲（例えば、ＷＣＤ１３０、１４０）は、他のＷＣＤをネットワークへ入れることを承認しない場合がある。他の態様では、インフラストラクチャモード配備が使用されうる。この場合、例えば、プリンタは、基準信号において、ラップトップが基準信号を送信しない場合があり、他のデバイスがネットワークへ入ることを承認しない場合があることを示す。そのため、プリンタは、アクセスポイントとして作動するよう決定することができ、単独で、追加のデバイスをネットワークに関連付けるおよび／または承認する責任がありうる。
【００２５】
１つの態様では、ピア・ツー・ピアネットワークにおいて複数の周波数チャネルが使用されうる。そのような態様では、ピア・ツー・ピアネットワークは、ＷＣＤメンバーシップ情報、能力、ネットワークローディングなどに基づいてアクセスを制限しうる。例えば、最大のメンバーシップが提供されることができ、この値に達する際、ネットワークと関連付けられるデバイスは、ネットワークがフルであることを示す情報を、送信された基準信号において提供しうる。さらに、基準信号は、デバイスが、異なる周波数チャネル上で新しいピア・ツー・ピアネットワークを開始するように促しうる。それによって、いかなる干渉問題も回避する。
【００２６】
１つの態様では、複数のネットワークのうちのいくつかに共通のＷＣＤとの複数のピア・ツー・ピアネットワークが確立されうる。例えば、プリンタおよびラップトップは、第１のネットワークと関連付けられうるのに対し、ラップトップおよび携帯電話は、第２のネットワークと関連付けられる。そのようなサンプル態様では、基準信号送信タイミングは、衝突を回避するようにセットされることができ、ネットワークごとに干渉のない送信時間を提供しうる。そのため、ラップトップは、両方のネットワークのための基準信号を送信する責任を共有しうる。１つの態様では、ラップトップは、第１のネットワークとの相互作用のためにスーパーフレームの一部分を予約すること、および第２のネットワークとの相互作用のためにスーパーフレームの第２の部分を予約することによって、スーパーフレームごとに関連付けられるネットワークごとにビーコンを送信しうる。１つのそのような態様では、予約のタイミングは、送信された基準信号内に含まれうる。さらに、そのような時間予約は、動的に割り当てられうる。言いかえれば、携帯電話が、第２のネットワークを使用してラップトップで送信しない場合、ラップトップは、第１のネットワーク上で通信するために以前に予約された時間を使用しうる。
【００２７】
１つの態様では、各デバイスが、その内部の時間を、基準信号において受信されるタイムスタンプ情報と同期することができ、そのようなタイミングは、伝搬時間の遅れによって影響を及ぼされる場合があるので、ビーム時間同期調節は、遅延という結果となる。例えば、ネットワーク内の各デバイスが、受信された基準信号からタイムスタンプを読み出すことによってタイミングを修正する場合、第１のデバイスから第２のデバイスへの送信は、第２のデバイスにおいて遅延された時間の値という結果となる場合があり、また、リターン信号は、第１のデバイスについてさらに遅延された時間の値という結果となりうる。スーパーフレーム内の時間同期が、配信されたビーコン（例えば、基準信号）通信に有益であるように、最大許容タイミングエラーの値が設定されうる。時間のドリフトに対処するために、各デバイスは、タイミング修正処理を内部的に実行しうる。そのような態様では、受信された基準信号タイムスタンプ値が最大時間ドリフト閾値内である場合、デバイスは、受信されたタイムスタンプ値に基づいてタイミングを内部的に修正しない場合がある。それに対して、受信された基準信号タイムスタンプ値が最大時間ドリフト閾値内でない場合、デバイスは、受信されたタイムスタンプ値に基づいてタイミングを内部的に修正する場合がある。そのような態様では、最大のタイミングドリフト値は、デバイス間の最大の伝搬遅延に基づきうる。例えば、距離が１５メートルだと仮定すると、０．１μｓのタイミング差は、重大であるとみなされうる。さらに、ネットワークと関連する各デバイスは、その内部のクロックがスーパーフレーム内の最大のタイミングドリフト値のファクションをドリフトしないことを確実にすることができる。したがって、ピア・ツー・ピアネットワークは、必要のないタイミング修正を実行することの内で最大タイミングドリフト値内に同期されうる。さらに、そのようなタイミングプロセスは、共存するピア・ツー・ピアネットワークの確立の間に使用されることができる。
【００２８】
無線通信システム１００は、ＭＩＭＯ技術をサポートしうる。ＭＩＭＯ技術を使用して、複数のアクセス端末１２０は、空間分割多元接続（ＳＤＭＡ）を使用して同時に通信しうる。ＳＤＭＡは、同じ周波数チャネルを共有するために、または異なる周波数を使用して通信するために、複数のストリームが、異なる受信機へ同時に送信され、その結果、より高いユーザキャパシティを提供することを可能にする多元接続方式である。これは、各データストリームを空間的に予め符号化することによって達成され、次に、各空間的に予め符号化されたストリームを、異なる送信アンテナを通してダウンリンク上で送信する。空間的に予め符号化されたデータストリームは、異なる空間署名をともなってアクセス端末において到着する。これは、各アクセス端末１１０、１３０が、そのアクセス端末１１０、１３０に向けられたデータストリームを回復することを可能にする。アップリンク上で、各アクセス端末１１０、１３０は、空間的に予め符号化されたデータストリームを送信する。これは、各空間的に予め符号化されたデータストリームのソースのアイデンティティが知られていることを可能にする。
【００２９】
１つまたは複数のアクセス端末１１０は、ある機能を可能にするために複数のアンテナを備えうる。この構成により、アクセス端末１１０における複数のアンテナは、追加の帯域幅または送信電力によらずにデータスループットを改善するように通信するために使用されうる。これは、送信機における高いデータレート信号を、異なる空間署名をともなう複数のより低いレートデータストリームに分割することによって達成されうる。したがって、高いレートデータ信号を回復するために、受信機がこれらのストリームを複数のチャネルへ分割し、ストリームを適切に組み合わせることを可能にする。
【００３０】
以下の開示の部分は、ＭＩＭＯ技術もサポートするアクセス端末を説明するが、アクセス端末１１０は、ＭＩＭＯ技術をサポートしないアクセス端末もサポートするように構成されうる。このアプローチは、より新しいＭＩＭＯアクセス端末が、適切なものとして導入されることとなることを許可しつつ、アクセス端末のより古いバージョン（つまり、「従来の」端末）が、それらの有効な寿命を拡張して、無線ネットワーク内で展開し続けることを可能にする。
【００３１】
以下の詳細な説明では、直交周波数分割多重化（ＯＦＤＭ）のような任意の適切な無線技術をサポートするＭＩＭＯシステムを参照して本開示の様々な態様が説明される。ＯＦＤＭは、正確な周波数で離れた間隔を空けられるいくつかのサブキャリア上でデータを配信する拡散スペクトル技術である。間隔は、受信機がサブキャリアからデータを復元することを可能にする「直交性」を提供する。ＯＦＤＭシステムは、ＩＥＥＥ８０２．１１、またはいくつかの他のエアインターフェース標準を実装しうる。他の適切な無線技術は、例として、符号分割多元接続（ＣＤＭＡ：Code Division Multiple Access）、時分割多元接続（ＴＤＭＡ：Time Division Multiple Access）、または任意の他の適切な無線技術、または適切な無線技術の任意の組み合わせを含む。ＣＤＭＡシステムは、ＩＳ−２０００、ＩＳ−９５、ＩＳ−８５６、広帯域ＣＤＭＡ（ＷＣＤＭＡ）、またはいくつかの他の適切なエアインターフェース標準により実装しうる。ＴＤＭＡシステムは、モバイル通信のためのグローバルシステム（ＧＳＭ（登録商標）：Global System for Mobile Communications）またはいくつかの他の適切なエアインターフェース標準を実装しうる。当業者は、本願の様々な態様が任意の特定の無線技術および／またはエアインターフェース標準に制限されないことを容易に理解するだろう。
【００３２】
無線ノード（例えば、１１０、１３０）は、アクセスポイントまたはアクセス端末であろうとなかろうと、共有される無線チャネルへ無線ノードをインターフェースするためにすべての物理的および電気的仕様を実装する物理（ＰＨＹ）レイヤ、共有される無線チャネルへのアクセスを調整する媒体アクセス制御（ＭＡＣ）レイヤ、および、例えば、スピーチおよびマルチメディア・コーデックおよびグラフィック処理を含むさまざまなデータ処理機能を実行するアプリケーションレイヤを含むレイヤード構造を利用するプロトコルにより実装されうる。ＭＡＣおよびＰＨＹレイヤのさらなる議論が図３を参照して提供される。追加のプロトコルレイヤ（例えば、ネットワークレイヤ、トランスポートレイヤ）が任意の特定のアプリケーションに必要でありうる。いくつかの構成では、無線ノードは、アクセスポイントとアクセス端末との間、または２つのアクセス端末間のリレーポイントとして動作しうる。したがって、アプリケーションを必要としない場合がある。当業者は、特定のアプリケーションおよび全体のシステム上に課される全体的な設計の制約に依拠して、任意の無線ノードについて適切なプロトコルを容易に実装することができるだろう。
【００３３】
図２は、特許請求の範囲の主題にしたがって、様々な方法論を例示する。説明の単純化のために、方法論は、一連の動作として図示および説明されるが、特許請求の範囲の主題は、いくつかの動作が、本願において図示されおよび説明されたのと異なる順番で生じ、および／または他の動作と並行して生じるので、動作の順番によって制限されないことを理解しおよび認識される。例えば、当業者は、方法が、状態図におけるような一連の相互関係がある状態またはイベントとして代替的に表されうることを理解しおよび認識するだろう。さらに、特許請求の範囲の主題にしたがって方法を実装するために、すべての例示された動作が必要とされうるわけではない。追加的に、以下および当該詳細な説明の全体にわたって開示される方法は、そのような方法をコンピュータにトランスポートすることおよび伝送することを容易にするために、製品上に記憶されることができる。本願において使用されるように、製品という用語は、任意のコンピュータ可読デバイス、キャリア、またはメディアからアクセス可能なコンピュータプログラムを包含するように意図される。
【００３４】
図２を参照して、無線ノードが、指向性の通信ネットワーク内で、配信されたビーコン（例えば、基準信号）送信をサポートしうる方法２００が例示される。参照数字２０２において、第１の基準信号は、第２の装置（例えば、ＷＣＤ、無線ノードなど）から受信されうる。１つの態様では、基準信号は、第２の装置からプローブ要求を含みうる。他の態様では、基準信号は、ビーコンを含みうる。そのようなビーコン送信は、周期的に実行されうる。１つの態様では、成功裡な送信間の期間は、スーパーフレームと呼ばれうる。１つの態様では、基準信号は、次のものには制限されないが、共通クロックをセットするためのタイムスタンプ情報、ピア・ツー・ピアネットワーク識別子、デバイス識別子、能力情報、スーパーフレーム持続時間、送信指向性情報、受信指向性情報、近隣のリスト、拡張された近隣のリストなどのような情報を含みうる。１つの態様では、近隣のリストは、最初は空でありうる。他の態様では、近隣のリストは、ビーコン送信装置との接続を確立した任意の装置と関連する情報を含みうる。さらに他の態様では、近隣のリストは、装置からの１つまたは複数の近隣のリストを含むことができ、送信装置は、装置から第１または第２の基準信号のうちの少なくとも１つのような基準信号を受信する。１つの態様では、競合アクセス期間は、他のデバイスが送信にアクセスすることを許可するために、送信期間の後の期間を含みうる。他の態様では、サービス期間は、デバイスが送信を受信するように意図される間の定義された期間を含みうる。そのような態様では、サービス期間は、指定されたデバイスのための専用のサービス期間でありうる。さらに他の態様では、ビームトレーニング期間は、デバイスがビームトレーニングを実行しうる間の定義された期間を含みうる。
【００３５】
参照数字２０４において、第２の基準信号が生成されうる。１つの態様では、第２の基準信号は、第２の装置に対する参照の組み込みにおいて更新された適用可能な値をともなう、第１の基準信号から受信されるネットワーク共有情報を含みうる。例えば、近隣のリストは、更新されうる。さらに、そのような態様では、第２の基準信号は、第２のデバイスに関連したデバイスに固有の情報を含みうる。参照数字２０６において、第２の基準信号が送信されうる。したがって、第１および第２の装置の両方は、基準信号送信責任を共有しうる（例えば、両方とも、基準信号送信タイミングが衝突を回避することを確実にする間に基準信号を送信しうる）。１つの態様では、第２の基準信号は、第１の装置によって第１の基準信号のその後の送信と関連するいかなる干渉も低減および／または最小化するように選択されうる定義された時間の間に送信されうる。１つの態様では、この定義された時間は、競合アクセス期間、サービス期間などの期間内の期間を含みうる。１つのそのような態様では、サービス期間は、定義されたデバイス間の専用のサービス期間でありうる。他の態様では、第２の基準信号は、第１の基準信号が送信される頻度を下回る頻度で送信されうる。
【００３６】
選択的に、参照番号２０８において、最初の２つのデバイスが、確立されたピア・ツー・ピアネットワークを通して関連付けられた後、第３の装置から発見要求が受信されうる。１つの態様では、第２の基準信号を受信する第３の装置に応答して発見要求が受信されうる。他の態様では、確立されたネットワークの知識もなく第３の装置によって発見要求が送信されうる。さらに、選択的に、参照番号２１０において、確立されたネットワークにアクセスするために第３の装置が承認されうるかどうかを決定するために、受信された発見要求が処理されうる。選択的な処理と関連する１つの態様では、参照番号２１２において、ネットワーク関連情報を含む応答が第３の装置へ送信されうる。そのような態様では、第２の基準信号は、近隣のリストまたは同様なものにおいて第３の装置に対する参照を含むためにさらに更新されうる。
【００３７】
図３Ａを参照して、スーパーフレーム内に複数のタイムスロット予約をともなうサンプルタイミングブロック図３００が、時間３１０が経過するものとして図示される。タイミングブロック図は、検索持続時間３０４を含む。１つの態様では、検索持続時間は、装置のアクティベーションの後であって、装置が基準信号を送信することに先立って、装置が、他の装置と通信するために他の装置について検索しうる間の時間として定義されうる。追加的に、成功裡な基準信号（例えば、ビーコン３０６）送信の間の期間は、スーパーフレーム３０２と呼ばれうる。そのため、スーパーフレームは、第１の基準信号３０６のための時間間隔、データ／制御通信３０８のための時間間隔、および第２の基準信号３０７を含みうる。図３Ａにおいて図示されるように、第１の装置による基準信号３０６送信が、第２の装置からの基準信号送信３０７と干渉しないように、２つの装置のためのスーパーフレームは、同期される。
【００３８】
図３Ｂに関して、予約された時間スロットを通して装置を複数のネットワークと関連付ける複数のスーパーフレームをともなうサンプルタイミングブロック図３０１が、時間３１０が経過するものとして図示される。装置が複数のネットワークと関連付けられる１つの態様では、スーパーフレーム３０２は、予約３１２、３１４を使用して複数のネットワーク間で配信されうる。例えば、装置は、各ネットワークが関連付けられているネットワークごとにビーコンを送信することができ、または第１のネットワークについて受信された基準信号に含まれる情報に基づいて第２のネットワークのみのためのビーコンを送信することができる。送信されたこの第２の基準信号は、第１のネットワークによって使用されるのと同じスーパーフレーム持続時間を含むことができ、第１の基準信号を使用して得られることができる。第２の基準信号は、第１のネットワーク３１２によって使用されるスーパーフレームの一部分を予約することができる。したがって、第２のネットワーク内の装置がこの予約された持続時間を使用することを禁止しうる。同様に、第１の基準信号は、第２のネットワーク３１４によって使用されるスーパーフレームの一部分を予約することができる。さらに、そのような時間予約は、動的に割り当てられうる。言いかえると、例えば、携帯電話が第２のネットワークを使用してラップトップにより送信されない場合、ラップトップは、第１のネットワーク上で通信するために、以前に予約された時間を使用しうる。
【００３９】
図４は、提示された主題の様々な態様にしたがって様々な方法を例示する。説明の単純化の目的のために、方法は、一連の動作または連続するステップとして図示されおよび説明されているが、特許請求の範囲の主題は、いくつかの動作が、本願において図示されおよび説明された動作と異なる順番で生じおよび／または他の動作と同時に生じうるので、動作の順番によって制限されないことを理解しおよび認識されるべきである。例えば、当業者は、方法が、状態図におけるような一連の相互関係がある状態またはイベントとして代替的に表されうることを理解しおよび認識するだろう。さらに、特許請求の範囲の主題にしたがって方法を実装するためにすべての例示された動作が必要とされるわけではない。さらに、以下でおよびこの詳細な説明の全体を通して開示される方法は、そのような方法をコンピュータにトランスポートおよび伝送することを容易にするために製品上に記憶されることができることをさらに認識すべきである。本明細書において使用されるように、製品という用語は、任意のコンピュータ可読デバイス、キャリア、またはメディアからアクセスすることができるコンピュータプログラムを包含するように意図される。
【００４０】
これから図４に移って、指向性の通信ネットワーク内で配信されたビーコン送信をサポートするためのサンプルコールフロー４００が例示される。一般に、通信ネットワークは、複数の装置（例えば、ＷＣＤ（１）４０２、ＷＣＤ（２）４０４、およびＷＣＤ（３）４０６）を含みうる。さらに、図４において図示されるように、イナクティブのＷＣＤは、点線を使用して示される。
【００４１】
図４に戻って、連続のステップ４０８において、ＷＣＤ（１）４０２がアクティベートされることができ、任意の基準信号送信について検索されることができる。１つのそのような態様では、ＷＣＤ（１）４０２と関連する多指向性／準全指向性アンテナによって定義されるカバレッジ領域にわってＷＣＤ（１）４０２がブロードカバレッジフォーカスを適用することによって検索が実行されうる。他のそのような態様では、ＷＣＤ（１）４０２と関連する多指向性／準全指向性アンテナによって定義される灯台のやり方においてＷＣＤ（１）４０２がカバレッジ領域を一掃することによって検索が実行されうる。１つの態様では、検索時間間隔として定義される時間の間検索が実行されうる。定義された検索時間間隔が経過した後、連続するステップ４１０において、ＷＣＤ（１）４０２は、ビーコン信号、プローブ要求などのような基準信号を送信しうる。そのようなビーコン送信は、周期的に実行されうる。１つの態様では、成功裡な送信の間の期間は、スーパーフレームと呼ばれうる。１つの態様では、基準信号は、次のものには制限されないが、共通クロックをセットするためのタイムスタンプ情報、ピア・ツー・ピアネットワーク識別子、デバイス識別子、能力情報、スーパーフレーム持続時間、送信指向性情報、受信指向性情報、近隣のリスト、拡張された近隣のリストなどのような情報を含みうる。１つの態様では、近隣のリストは、最初に空にされうる。他の態様では、近隣のリストは、ビーコン送信装置との接続を確立した任意の装置と関連する情報を含みうる。さらに他の態様では、近隣のリストは、装置からの１つまたは複数の近隣のリストを含むことができ、送信装置は、装置から第１または第２の基準信号のうちの少なくとも１つのような基準信号を受信する。１つの態様では、競合アクセス期間は、他のデバイスが送信にアクセスすることを許可するために送信期間の後の期間を含みうる。他の態様では、サービス期間は、デバイスが送信を受信するように意図される間の定義された期間を含みうる。そのような態様では、サービス期間は、指定されたデバイスのための専用のサービス期間でありうる。さらに他の態様では、ビームトレーニング期間は、デバイスがビームトレーニングを実行しうる間の定義された期間を含みうる。
【００４２】
参照番号４１２において、ＷＣＤ（２）４０４がアクティベートされることができ、任意の基準信号送信について検索しうる。図示された態様では、ＷＣＤ（２）４０４は、ＷＣＤ（１）４０２によって送信される基準信号を受信しうる。連続するステップ４１４において、ＷＣＤ（１）４０２およびＷＣＤ（２）４０４は、ピア・ツー・ピアネットワークを形成するために関連させることができる。１つの態様では、関連させることは、ＷＣＤ（２）４０４がＷＣｄ（１）４０２と通信しうることを承認することをさらに含みうる。ＷＣＤ（１）４０２とＷＣＤ（２）４０４との間の関連が確立された後、基準信号により提供される近隣のリストに記憶される情報が更新されうる。
【００４３】
さらに、ＷＣＤ（１）４０２およびＷＣＤ（２）４０４は、基準信号送信責任を共有しうる（例えば、ＷＣＤ（１）４０２およびＷＣＤ（２）４０４の両方が、基準信号送信タイミングが衝突を回避することを確実にする間に、基準信号を送信しうる）。連続するステップ４１６において、ＷＣＤ（２）４０４は、ＷＣＤ（２）４０４と関連する情報を含む基準信号をＷＣＤ（１）４０２へ送信しうる。図４に図示されるように、ＷＣＤ（２）４０４が第２の基準信号を最初に送信するとき、ＷＣＤ（３）４０６は、アクティブでない。連続するステップ４１８において、発見要求は、ＷＣＤ（３）４０６から送信されうる。１つの態様では、ＷＣＤ（３）４０６が第２の基準信号を受信することに応答して発見要求が送信されうる。他の態様では、確立されたネットワークの知識もなくＷＣＤ（３）４０６によって発見要求が送信されうる。さらに、連続するステップ４２０において、第３の装置が、確立されたネットワークにアクセスすることを承認されるかどうかを決定するために、受信された発見要求が処理されうる。連続するステップ４２２において、ネットワーク関連の情報を含みうる応答がＷＣＤ（３）４０６へ送信されうる。そのような態様では、第２の基準信号は、近隣のリストまたは同様のものにおいてＷＣＤ（３）４０６に対する参照を含むためにさらに更新されうる。
【００４４】
さらに図１を参照しつつ、これから図５にも移って、無線通信デバイス１１０のサンプルアーキテクチャが例示される。図５において図示されるように、無線通信デバイス５００は、例えば、受信アンテナ（図示されていない）から信号を受信し、受信された信号上で典型的な動作（例えば、フィルタ、増幅、ダウンコンバートなど）を実行し、およびサンプルを得るために、調節された信号をデジタル化する受信機５０２を備える。受信機５０２は、受信されたシンボルを復調することができる復調器５０４を備えることができ、チャネル推定のためにそれらをプロセッサ５０６へ提供することができる。さらに、受信機５０２は、複数の通信プロトコルを使用して複数のネットワークから信号を受信しうる。１つの態様では、受信機５０２は、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＵＭＢ、ＥＶ−ＤＯ、８０２．１１、ＢＬＵＥＴＯＯＴＨ（登録商標）などのうちの少なくとも１つを使用してネットワークから信号を受信しうる。
【００４５】
プロセッサ５０６は、受信機５０２によって受信された情報を分析し、および／または送信機５２０による送信のための情報を生成することに専用のプロセッサ、無線通信デバイス５００の１つまたは複数のコンポーネントを制御するプロセッサ、および／または受信機５０２によって受信される情報を分析し、送信機５２０による送信のための情報を生成し、および無線通信デバイス５００の１つまたは複数のコンポーネントを制御することを両方するプロセッサでありうる。
【００４６】
無線通信デバイス５００は、プロセッサ５０６へ機能的に結合される、および／またはプロセッサ５０６内に配置されるメモリ５０８を追加的に備えることができ、それは、送信されるべきデータ、受信されたデータ、利用可能なチャネルに関係する情報、分析された信号および／または干渉強度に関連するデータ、割り当てられたチャネル、電力、レート、または同様のものに関係する情報、およびチャネルを推定するおよびチャネルを通して通信するための任意の他の適切な情報を記憶することができる。メモリ５０８は、チャネルを推定することおよび／または利用すること（例えば、パフォーマンスベース、キャパシティベースなど）と関連したプロトコルおよび／またはアルゴリズムを追加的に記憶することができる。
【００４７】
本願において説明されたデータ記憶装置（例えば、メモリ５０８）は、揮発性メモリまたは非揮発性メモリのいずれかであることができるか、または揮発性および非揮発性メモリの両方を含むことができることが認識されるだろう。制限ではなく例示の方法によって、非揮発性メモリは、読み出し専用メモリ（ＲＯＭ）、プログラム可能なＲＯＭ（ＰＲＯＭ）、電子的にプログラム可能なＲＯＭ（ＥＰＲＯＭ）、電子的に消去可能なＰＲＯＭ（ＥＥＰＲＯＭ）、またはフラッシュメモリを含むことができる。揮発性メモリは、ランダムアクセスメモリ（ＲＡＭ）を含むことができる。これは、外部キャッシュメモリとして作動する。制限ではなく例示として、ＲＡＭは、同期ＲＡＭ（ＳＲＡＭ）、動的ＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、強化されたＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））のような多くの形式において利用可能である。主題のシステムおよび方法のメモリ５０８は、制限されないが、これらおよび任意の他の適切なタイプのメモリを備えうる。
【００４８】
無線通信デバイス５００は、指向性の通信ネットワーク内で配信されたビーコン（例えば、基準信号）送信をサポートするために、配信されたビーコンモジュール５３０をさらに含むことができる。配信されたビーコンモジュール５３０は、ネットワーク共有の情報５３２およびデバイスに固有の情報５３４を含みうる。１つの態様では、共通（例えば、共有）情報５３２は、タイムスタンプ情報、基準信号インターバル、ピア・ツー・ピアネットワーク識別子、チャネルアクセスプロトコル情報などを含みうる。さらに、他の態様では、デバイスに固有の情報５３４は、デバイス識別子、近隣のリストなどを含みうる。
【００４９】
さらに、無線通信デバイス５００は、ユーザインターフェース５４０を含みうる。ユーザインターフェース５４０は、通信デバイス５００への入力、および通信デバイス５００のユーザによる消費のための情報を生成するための出力メカニズム５４２を生成するための入力メカニズム５４２を含みうる。例えば、入力メカニズム５４２は、キーまたはキーボード、マウス、タッチスクリーンディスプレイ、マイクロホンなどのようなメカニズムを含みうる。さらに、例えば、出力メカニズム５４４は、ディスプレイ、オーディオスピーカ、ハップティックフィードバックメカニズム、パーソナルエリアネットワーク（ＰＡＮ）トランシーバなどを含みうる。例示された態様では、出力メカニズム５４４は、イメージまたはビデオフォーマットの形式であるメディアコンテンツを提供するように動作可能なディスプレイまたはオーディオフォーマットの形式であるメディアコンテンツを提供するためのオーディオスピーカを含みうる。
【００５０】
図６は、ＰＨＹレイヤの信号処理機能の一例を例示する概念的ブロック図である。送信モードでは、ＴＸデータプロセッサ６０２は、ＭＡＣレイヤからデータを受信するために使用されることができ、受信ノードにおいて順方向誤り訂正（ＦＥＣ：forward error correction）を容易にするためにデータを符号化（例えば、ターボコード）する。符号化処理は、連続の変調シンボルを提供するために、一緒にブロック化され、ＴＸデータプロセッサ６０２によって信号座標へマップされうる連続のコードシンボルという結果となる。
【００５１】
無線ノードでは、ＴＸデータプロセッサ６０２からの変調シンボルは、変調器６０４へ提供されうる。変調器は、変調シンボルをストリームへ分割する。その後、各ストリームは、サブキャリアへマップされ、時間ドメインストリームを生成するために逆高速フーリエ変換（ＩＦＦＴ：Inverse Fast Fourier Transform）を使用して一緒に組み合わされる。
【００５２】
ＴＸ空間プロセッサ６０６は、ＯＦＤＭストリーム上で空間処理を実行する。これは、各ＯＦＤＭを空間的に予め符号化することによって達成されることができ、各空間的に予め符号化されたストリームを、トランシーバ６０６を通して異なるアンテナ６０８へ提供しうる。各送信機６０６は、無線チャネル上の送信のためにそれぞれの予め符号化されたストリームによりＲＦキャリアを変調する。
【００５３】
受信モードでは、各トランシーバ６０６は、そのそれぞれのアンテナ６０８を通して信号を受信する。各トランシーバ６０６は、ＲＦキャリア上へ変調される情報を復元するために使用され、ＲＸ空間プロセッサ６１０へ情報を提供することができる。
【００５４】
ＲＸ空間プロセッサ６１０は、無線ノード６００向けのいずれの空間ストリームをも復元するために情報上で空間処理を実行する。空間処理は、チャネル相関反転行列（ＣＣＭＩ：Channel Correlation Matrix Inversion）、最少平均二乗誤差（ＭＭＳＥ）、ソフト干渉除去（ＳＩＣ）、またはいくつかの他の適切な技術にしたがって実行されうる。複数の空間ストリームが、無線ノード６００に向けられる場合、ＲＸ空間プロセッサ６１０によって結合されうる。
【００５５】
無線ノードでは、ＲＸ空間プロセッサ６１０からのストリーム（または組み合わされたストリーム）が復調器６１２へ提供される。ＯＦＤＭ復調器６１２は、高速フーリエ変換（ＦＦＴ）を使用して時間ドメインから周波数ドメインへストリーム（または組み合わされたストリーム）を変換する。周波数ドメイン信号は、信号のサブキャリアごとに別々のストリームを備える。復調器６１２は、各サブキャリア上で搬送されるデータ（つまり、変調シンボル）を復元し、データを変調シンボルのストリームへ多重化する。
【００５６】
ＲＸデータプロセッサ６１４は、変調シンボルを信号座標における正確なポイントへ送信し戻すために使用されうる。無線チャネルにおける雑音および他の妨害のために、変調シンボルは、オリジナル信号座標におけるポイントの正確な位置に対応しない場合がある。ＲＸデータプロセッサ６１４は、受信されたポイントと信号座標における正しいシンボルの位置との間のもっとも短い距離を見つけることによって、どの変調シンボルが送信されたと最も考えられるかを検出する。これらのソフト決定は、ターボコードの場合において、例えば、所与の変調シンボルと関連するコードシンボルのログ尤度比（ＬＬＲ：Log-Lilelihood Ratio）を計算するために使用されうる。その後、ＲＸデータプロセッサ６１４は、データをＭＡＣレイヤへ提供する前に当初送信されたデータを復号するためにコードシンボルＬＬＲのシーケンスを使用する。
【００５７】
図７は、無線ノードにおけるシステムを処理するように構成されるハードウェアの一例を例示する概念図である。この事例では、処理システム７００は、バス７０２によって一般に表されるバスアーキテクチャにより実装されうる。バス７０２は、処理システム７００の特定のアプリケーションおよび全体的な設計の制約に依拠して、任意の数の相互に接続するバスおよびブリッジを含みうる。バスは、プロセッサ７０４、コンピュータ可読媒体７０６、およびバスインターフェース７０８を含むさまざまな回路を一緒にリンクする。バスインターフェース７０８は、とりわけ、バス７０２を通して処理システム７００へ、ネットワークアダプタ７１０を接続するために使用されうる。ネットワークインターフェース７１０は、ＰＨＹレイヤの信号処理機能を実装するために使用されうる。アクセス端末１１０（図１参照）の場合には、ユーザインターフェース７１２（例えば、キーパッド、ディスプレイ、マウス、ジョイスティックなど）も、バスインターフェース７０８を通してバスに接続されうる。バス７０２はまた、タイミングソース、周辺装置、電圧調節器、電力管理回路、および同様のもののような様々な他の回路をリンクしうる。これは、当該技術分野においてよく知られており、したがって、これ以上説明されないだろう。
【００５８】
プロセッサ７０４は、コンピュータ可読媒体７０８上に記憶されるソフトウェアの実行を含む一般的な処理およびバスの管理に関与する。プロセッサ７０８は、１つまたは複数の汎用目的および／または特殊目的プロセッサにより実装されうる。事例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態マシン、ゲート制御された論理、離散ハードウェア回路、および本開示を通して説明された様々な機能性を実行するように構成される他の適切なハードウェアを含む。
【００５９】
処理システムにおける１つまたは複数のプロセッサは、ソフトウェアを実行しうる。ソフトウェアは、ソフトウェア、ファームウェア、ミドルウェア、マイクロコード、ハードウェア記述言語、または別の方法で呼ばれようと呼ばれまいと、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能、実行スレッド、手順、機能などを意味するよう広く解釈されるだろう。
【００６０】
ソフトウェアは、コンピュータ可読媒体上に存在しうる。コンピュータ可読媒体は、例として、磁気記憶デバイス（例えば、ハードディスク、フロッピー（登録商標）ディスク、磁気ストリップ）、光ディスク（例えば、コンパクトディスク（ＣＤ）、デジタルバーサタイルディスク（ＤＶＤ））、スマートカード、フラッシュメモリデバイス（例えば、カード、スティック、キードライブ）、ランダムアクセスメモリ（ＲＡＭ）、読み出し専用メモリ（ＲＯＭ）、プログラマブルＲＯＭ（ＰＲＯＭ）、消去可能なＰＲＯＭ（ＥＰＲＯＭ）、電子的に消去可能なＰＲＯＭ（ＥＥＰＲＯＭ）、レジスタ、リムーバブルディスク、キャリア、送信路、またはソフトウェアを記憶するまたは送信するための任意の他の適切な媒体を含みうる。コンピュータ可読媒体は、処理システム内に常駐する、処理システムの外部にある、または処理システムを含む複数のエンティティにわたって配信されうる。コンピュータ可読媒体は、コンピュータプログラムプロダクト内で具体化されうる。例として、コンピュータプログラムプロダクトは、パッケージングマテリアルにおいてコンピュータ可読媒体を含みうる。
【００６１】
図７において例示されるハードウェア実装では、コンピュータ可読媒体７０６は、プロセッサ７０４から離れている処理システム７００の一部として図示されている。しかしながら、当業者は、コンピュータ可読媒体７０６、またはそれらのものの任意の部分が、処理システム７００に外部でありうることを容易に認識するだろう。例として、コンピュータ可読媒体７０６は、送信路、データによって変調されたキャリア、および／または無線ノードから離れているコンピュータプロダクト、バスインターフェース７０８を通してプロセッサ７０４によってアクセスされうるものすべてを含みうる。代替的にまたは追加的に、コンピュータ可読媒体７０４、またはそれらのものの任意の部分は、キャッシュおよび／または汎用レジスタファイルを備えうる場合のようなプロセッサ７０４へ統合されうる。
【００６２】
処理システム、または処理システムの任意の部分は、本願において記載された機能を実行するための手段を提供しうる。例として、コードを実行する処理システムは、第２の装置が、第１の基準信号を第１の装置から受信するための手段と、ここにおいて、第１の基準信号は、第１のネットワークと関連するネットワーク共有情報および第１の装置と関連する特定の情報を備える、第２の装置と関連する特定の情報を含むために第１の基準信号内のネットワーク共有情報を更新することによって第２の基準信号を生成するための手段と、定義された時間において第２の基準信号を送信するための手段とを提供し、定義された時間は、第１の基準信号の受信と関連するいかなる干渉も最小にするように選択される。代替的に、コンピュータ可読媒体上のコードは、本願において記載された機能を実行するための手段を提供しうる。
【００６３】
図８は、サンプル装置７００の機能性を例示する概念的ブロック図８００である。装置７００は、第１の装置から第１の基準信号を受信するモジュール８０２と、ここにおいて、第１の基準信号は、第１のネットワークと関連するネットワーク共有情報および第１の装置と関連する特定の情報を備える、装置と関連する特定の情報を含むために第１の基準信号内のネットワーク共有情報を更新することによって第２の基準信号を生成するモジュール８０４と、定義された時間において第２の基準信号を送信するモジュール８０６と、ここにおいて、定義された時間は、第１の装置によって第１の基準信号の後の送信と関連する任意の干渉を最小にするように選択される、を含む。
【００６４】
図１および図７を参照して、１つの構成において、無線通信のための装置６００は、第１の装置から第１の基準信号を受信するための手段と、ここにおいて第１の基準信号は、第１のネットワークと関連するネットワーク共有情報および第１の装置と関連する特定の情報を備える、装置と関連する特定の情報を含むために第１の基準信号内のネットワーク共有情報を更新することによって第２の基準信号を生成するための手段と、定義された時間において第２の基準信号を送信するための手段とを含み、定義された時間は、第１の装置によって第１の基準信号の後の送信と関連するいかなる干渉も最小にするように選択される。１つの態様では、受信するための手段は、受信機５０２を備える。他の態様では、生成するための手段は、配信されたビーコンモジュール５３０を備える。さらに他の態様では、送信するための手段は、送信機５２０を備える。他の構成では、無線通信のための装置６００は、第１の装置によって第１の基準信号の送信の頻度を下回る頻度で第２の基準信号を送信するための手段を含む。他の構成では、無線通信のための装置６００は、第２の装置と関連する１つまたは複数のアンテナが送信することができるすべての指向性において第２の基準信号をブロードキャストするための手段を含む。他の構成では、無線通信のための装置６００は、第２の装置によって、第３の装置から発見要求を受信するための手段と、第３の装置が第１のネットワークにアクセスすることの適格性を決定するために発見要求を処理するための手段と、第３の装置へ応答を送信するための手段とを含み、応答は、第１のネットワークと関連するネットワーク共有情報および第１の装置と関連する特定の情報を備える。他の構成では、無線通信のための装置６００は、第１のネットワークとの関連を維持する間に、第２の装置によって、第２のネットワークと関連する情報を備える第３の基準信号を送信するための手段を含み、第２のネットワークと関連する情報は、第１の基準信号からの時間同期情報およびネットワーク共有情報を備える。そのような構成では、第１の基準信号は、第１のネットワークと関連する時間同期情報を含みうる。他の構成では、無線通信のための装置６００は、ＩＥＥＥ８０２．１１プロトコルを使用して第１の基準信号を受信するための手段を含む。前述の手段は、前述の手段によって記載される機能を実行するように構成される処理システム７００である。以前に説明されるように、処理システム７００は、ＴＸプロセッサ６０２、ＲＸプロセッサ６１４、およびプロセッサ６０５および６１０を含む。そのため、１つの構成では、前述の手段は、前述の手段によって記載される機能を実行するように構成されるＴＸプロセッサ６０２、ＲＸプロセッサ６１４、およびプロセッサ６０５および９１０でありうる。
【００６５】
当業者は、特定のアプリケーションおよび全体のシステム上に課される全体の設計制約に依拠して本開示の全体を通して示される説明された機能性をどのように最良に実装するのかを認識するだろう。
【００６６】
ソフトウェアモジュールの文脈において説明されるステップの任意の特定の順番または階層は、無線ノードの事例を提供するように示されることが理解される。設計の選好に基づいて、ステップの特定の順番または階層は、本願の範囲内で再アレンジされ得ることが理解される。
【００６７】
前述の説明は、いずれの当業者も本開示の全体の範囲を十分に理解することができるように提供される。本願に開示される様々な構成に対する修正は、当業者に容易に明白になるだろう。したがって、特許請求の範囲は、本願において説明された開示の様々な態様に制限されるよう意図されないが、特許請求の範囲の用語と一致する全体の範囲が与えられるべきである。ここで、単数形のエレメントに対する言及は、特に述べられない限り「１つおよび１つのみ（one and only one）」を意味するように意図されず、むしろ「１つまたは複数（one or more）」を意味するよう意図される。特に述べられない限り、用語「いくつか」は、１つまたは複数を指す。エレメントの組み合わせのうちの少なくとも１つ（例えば、「Ａ、Ｂ、またはＣのうちの少なくとも１つ」）を記載する特許請求の範囲は、記載されたエレメント（例えば、Ａ、またはＢ、またはＣ、またはこれらのものの任意の組み合わせ）のうちの１つまたは複数を指す。当業者に既知のまたは後に知られることとなる本開示の全体を通して説明される様々な態様のエレメントと同等の構成および機能のすべては、参照によって本願に明白に組み込まれ、特許請求の範囲によって包含されるように意図される。さらに、本願に開示されていないことは、そのような開示が特許請求の範囲に明示的に記載されているかどうかにかかわらず、公に供されるよう意図される。特許請求の範囲のエレメントが用語「のための手段」を使用して明白に記載されない限り、または方法クレームの場合に、エレメントが用語「のためのステップ」を使用して記載されない限り、特許請求の範囲のエレメントは、３５Ｕ．Ｓ．Ｃ．§１１２の６段落目の規定に基づいて解釈されない。
【００６８】
１つまたは複数のサンプル態様では、説明された機能は、ハードウェア、ソフトウェア、ファームウェア、またはこれらのものの任意の組み合わせにおいて実装されうる。ソフトウェアにおいて実装される場合、機能は、コンピュータ可読媒体上の１つまたは複数の命令またはコード上に記憶されるまたは１つまたは複数の命令またはコード上で送信されうる。コンピュータ可読媒体は、ある場所から他の場所へのコンピュータプログラムの転送を容易にする任意の媒体を含むコンピュータ記憶媒体および通信媒体の両方を含む。記憶媒体は、コンピュータによってアクセスされることができる任意の利用可能な媒体でありうる。例として、および制限ではなく、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気的記憶デバイス、または命令またはデータ構造の形式であってコンピュータによってアクセスされることができる所望のプログラムコードを搬送または記憶するために使用されることができる任意の他の媒体を備えることができる。さらに、いかなる接続もコンピュータ可読媒体と適切に称される。例えば、ソフトウェアが、同軸ケーブル、光ファイバーケーブル、ツイストペア、デジタル加入者ライン（ＤＳＬ）、または赤外線、ラジオ、およびマイクロウェーブのような無線技術を使用するウェブサイト、サーバ、または他の遠隔ソースから送信される場合、同軸ケーブル、光ファイバーケーブル、ツイストペア、ＤＳＬ、または赤外線、ラジオ、およびマイクロウェーブのような無線技術は、媒体の定義に含まれる。本願において使用されるように、ディスク（diskおよびdisc）は、コンパクトディスク（ＣＤ）、レーザーディスク（登録商標）、光ディスク、デジタルバーサタイルディスク（ＤＶＤ）、フロッピー（登録商標）ディスク、およびブルーレイ（登録商標）ディスクを含む。ここで、通常、disksは、磁気的にデータを再生するのに対し、discsは、レーザーにより光学的にデータを再生する。上記の組み合わせもコンピュータ可読媒体の範囲内に含まれるべきである。
以下に、本願出願の当初の特許請求の範囲に記載された発明を付記する。
［Ｃ１］
無線通信のための方法であって、
第２の装置が、第１の基準信号を第１の装置から受信することと、ここにおいて、前記第１の基準信号は、第１のネットワークと関連するネットワーク共有情報および前記第１の装置と関連する特定の情報を備える、
前記第２の装置と関連する特定の情報を含むために前記第１の基準信号内の前記ネットワーク共有情報を更新することによって、第２の基準信号を生成することと、
定義された時間において前記第２の基準信号を送信することと
を備え、前記定義された時間は、前記第１の装置によって前記第１の基準信号の後の送信と関連するいかなる干渉も最小にするように選択される、
方法。
［Ｃ２］
前記第２の基準信号は、ビーコンを備える、
［Ｃ１］に記載の方法。
［Ｃ３］
前記第２の基準信号は、第３の装置から受信されたプローブ要求に応答して生成されたプローブ応答を備える、
［Ｃ１］に記載の方法。
［Ｃ４］
前記第２の基準信号は、前記第３の装置から受信された前記プローブ要求に応答して送信される、
［Ｃ３］に記載の方法。
［Ｃ５］
前記プローブ要求は、全指向性で受信される、
［Ｃ３］に記載の方法。
［Ｃ６］
前記定義された時間は、競合アクセス期間または専用のサービス期間内である、
［Ｃ１］に記載の方法。
［Ｃ７］
前記第２の基準信号は、前記第１の装置によって前記第１の基準信号の送信の頻度を下回る頻度で送信される、
［Ｃ１］に記載の方法。
［Ｃ８］
前記第２の基準信号の前記送信は、前記第２の装置と関連する１つまたは複数のアンテナが送信することができるすべての指向性において前記第２の基準信号をブロードキャストすることを備える、
［Ｃ１］に記載の方法。
［Ｃ９］
前記第２の装置によって、第３の装置から発見要求を受信することと、
前記第３の装置が前記第１のネットワークにアクセスすることの適格性を決定するために前記発見要求を処理することと、
前記第３の装置へ応答を送信することと、
をさらに備え、前記応答は、前記第１のネットワークと関連する前記ネットワーク共有情報および前記第１の装置と関連する特定の情報を備える、
［Ｃ１］に記載の方法。
［Ｃ１０］
前記第１の基準信号は、前記第１のネットワークと関連する時間同期情報を備え、前記方法は、
前記第１のネットワークとの関連を維持する間に、前記第２の装置によって、第２のネットワークと関連する情報を備える第３の基準信号を送信することをさらに備え、前記第２のネットワークと関連する前記情報は、前記第１の基準信号からの時間同期情報およびネットワーク共有情報を備える、
［Ｃ１］に記載の方法。
［Ｃ１１］
前記ネットワーク共有情報は、
共通のクロックに対するタイムスタンプセット、
前記第１のネットワークのための識別子、
前記第１のネットワークに関する能力情報、
基準信号送信間隔、
前記第１のネットワーク値に認められる装置の最大数、または
どの装置が、前記ネットワーク共有情報を含む基準信号を送信しうるのかを限定する基準信号送信制限セット
のうちの少なくとも１つを備える、
［Ｃ１］に記載の方法。
［Ｃ１２］
前記基準信号送信制限セットは、装置能力に基づいて決定される、
［Ｃ１１］に記載の方法。
［Ｃ１３］
前記特定の情報は、
送信指向性、
受信指向性、
近隣のリスト、
拡張された近隣のリスト、
競合アクセス期間についての情報、
サービス期間についての情報、または
ビームトレーニング期間についての情報
のうちの少なくとも１つを備える、
［Ｃ１］に記載の方法。
［Ｃ１４］
前記近隣のリストは、前記第２の装置との接続を確立した任意の他の装置と関連する情報を備える、［Ｃ１３］に記載の方法。
［Ｃ１５］
前記近隣のリストは、他の装置からの１つまたは複数の近隣のリストを備え、前記第２の装置は、他の装置から前記第１または第２の基準信号のうちの少なくとも１つを受信する、
［Ｃ１３］に記載の方法。
［Ｃ１６］
前記拡張された近隣のリストは、他の装置からの１つまたは複数の近隣のリストを備え、前記第２の装置は、他の装置から前記第１または第２の基準信号のうちの少なくとも１つを受信する、
［Ｃ１３］に記載の方法。
［Ｃ１７］
前記第１の基準信号は、ＩＥＥＥ８０２．１１プロトコルを使用して受信される、
［Ｃ１］に記載の方法。
［Ｃ１８］
前記定義された時間は、
ラウンドロビン送信プロトコル、
ランダムバックオフ送信プロトコル、または
前記第１のネットワークと関連する１つまたは複数の装置から得られる情報からの支援をともなう支援されたランダムバックオフ送信プロトコル
のうちの少なくとも１つを使用して選択される、
［Ｃ１］に記載の方法。
［Ｃ１９］
前記第１の基準信号は、
前記第１のネットワークと関連する時間同期情報、ここにおいて、前記時間同期は、最大時間ドリフト閾値を使用して維持される、
ビーコン、
プローブ応答、または
プローブ要求
のうちの少なくとも１つを備える、
［Ｃ１］に記載の方法。
［Ｃ２０］
コンピュータプログラムプロダクトであって、
第２の装置が、第１の基準信号を第１の装置から受信し、ここにおいて、前記第１の基準信号は、第１のネットワークと関連するネットワーク共有情報および前記第１の装置と関連する特定の情報を備える、
第２の装置と関連する特定の情報を含むために前記第１の基準信号内の前記ネットワーク共有情報を更新することによって第２の基準信号を生成し、
定義された時間において前記第２の基準信号を送信する
ように実行可能なコードを備えるコンピュータ可読媒体を備え、前記定義された時間は、前記第１の装置によって前記第１の基準信号の後の送信と関連するいずれの干渉も最小にするように選択される、
コンピュータプログラムプロダクト。
［Ｃ２１］
無線通信のための装置であって、
第１の装置から第１の基準信号を受信するための手段と、ここにおいて前記第１の基準信号は、第１のネットワークと関連するネットワーク共有情報および前記第１の装置と関連する特定の情報を備える、
前記装置と関連する特定の情報を含むために前記第１の基準信号内の前記ネットワーク共有情報を更新することによって第２の基準信号を生成するための手段と、
定義された時間において前記第２の基準信号を送信するための手段と
を備え、前記定義された時間は、前記第１の装置によって前記第１の基準信号の後の送信と関連するいかなる干渉も最小にするように選択される、
装置。
［Ｃ２２］
前記第２の基準信号は、ビーコン送信である、
［Ｃ２１］に記載の装置。
［Ｃ２３］
前記第２の基準信号は、第３の装置から受信されるプローブ要求に応答して生成されるプローブ応答を備える、
［Ｃ２１］に記載の装置。
［Ｃ２４］
前記第２の基準信号は、前記第３の装置から受信される前記プローブ要求に応答して送信される、
［Ｃ２３］に記載の装置。
［Ｃ２５］
前記プローブ要求は、全指向性で受信される、
［Ｃ２３］に記載の装置。
［Ｃ２６］
前記定義された時間は、競合アクセス期間または専用のサービス期間内である、
［Ｃ２１］に記載の装置。
［Ｃ２７］
前記送信するための手段は、前記第１の装置によって前記第１の基準信号の送信の頻度よりも少ない頻度で前記第２の基準信号を送信するための手段をさらに備える、
［Ｃ２１］に記載の装置。
［Ｃ２８］
前記送信するための手段は、前記装置と関連する１つまたは複数のアンテナが送信することができるすべての指向性において前記第２の基準信号をブロードキャストするための手段をさらに備える、
［Ｃ２１］に記載の装置。
［Ｃ２９］
前記受信するための手段は、第３の装置から発見要求を受信するための手段と、
前記第３の装置が前記第１のネットワークにアクセスすることの適格性を決定するために前記発見要求を処理するための手段と
をさらに備え、前記送信するための手段は、前記第３の装置へ応答を送信するための手段をさらに備え、前記応答は、前記第１のネットワークと関連する前記ネットワーク共有情報および前記第１の装置と関連する特定の情報を備える、
［Ｃ２１］に記載の装置。
［Ｃ３０］
前記第１の基準信号は、前記第１のネットワークと関連する時間同期情報を備え、前記装置は、
前記第１のネットワークとの関連を維持する間に、第２のネットワークと関連する情報を備える第３の基準信号を送信するための手段をさらに備え、前記第２のネットワークと関連する前記情報は、前記第１の基準信号からの時間同期情報およびネットワーク共有情報を備える、
［Ｃ２１］に記載の装置。
［Ｃ３１］
前記ネットワーク共有情報は、
共通クロックに対するタイムスタンプセット、
前記第１のネットワークのための識別子、
前記第１のネットワークに関する能力情報、
基準信号送信間隔、
前記第１のネットワーク値に認められる装置の最大数、または
どの装置が、前記ネットワーク共有情報を含む基準信号を送信することができるかを限定する基準信号送信制限セット
のうちの少なくとも１つを備える、
［Ｃ２１］に記載の装置。
［Ｃ３２］
前記基準信号送信制限セットは、装置能力に基づく、
［Ｃ３１］に記載の装置。
［Ｃ３３］
前記特定の情報は、
送信指向性、
受信指向性、
近隣のリスト、
拡張された近隣のリスト、
競合アクセス期間についての情報、
サービス期間についての情報、または
ビームトレーニング期間についての情報
のうちの少なくとも１つを備える、
［Ｃ２１］に記載の装置。
［Ｃ３４］
前記近隣のリストは、前記装置との接続を確立した任意の他の装置と関連する情報を備える、
［Ｃ３３］に記載の装置。
［Ｃ３５］
前記近隣のリストは、他の装置からの１つまたは複数の近隣のリストを備え、前記装置は、他の装置から前記第１または第２の基準信号のうちの少なくとも１つを受信する、
［Ｃ３３］に記載の装置。
［Ｃ３６］
前記拡張された近隣のリストは、他の装置からの１つまたは複数の近隣のリストを備え、前記装置は、他の装置から前記第１または第２の基準信号のうちの少なくとも１つを受信する、
［Ｃ３３］に記載の装置。
［Ｃ３７］
受信するための手段は、ＩＥＥＥ８０２．１１プロトコルを使用して前記第１の基準信号を受信するための手段をさらに備える、
［Ｃ２１］に記載の装置。
［Ｃ３８］
前記定義された時間は、
ラウンドロビン送信プロトコル、
ランダムバックオフ送信プロトコル、または
前記第１のネットワークと関連する１つまたは複数の装置から得られる情報からの支援をともなう支援されたランダムバックオフ送信プロトコル
のうちの少なくとも１つを使用して選択される、
［Ｃ２１］に記載の装置。
［Ｃ３９］
前記第１の基準信号は、
前記第１のネットワークと関連する時間同期情報、ここにおいて、前記時間同期は、最大時間ドリフト閾値を使用して維持される、
ビーコン、
プローブ応答、または
プローブ要求
のうちの少なくとも１つを備える、
［Ｃ２１］に記載の装置。
［Ｃ４０］
アンテナと、
第１の装置から第１の基準信号を受信するように構成された受信機と、ここにおいて、前記第１の基準信号は、第１のネットワークと関連するネットワーク共有情報および前記第１の装置と関連する特定の情報を備える、
前記局と関連する特定の情報を含むために前記第１の基準信号内の前記ネットワーク共有情報を更新することによって第２の基準信号を生成するように構成される、前記アンテナに結合された処理システムと、
定義された時間において前記第２の基準信号を送信するように構成された送信機と
を備え、前記定義された時間は、前記第１の装置によって前記第１の基準信号の後の送信と関連するいずれかの干渉を最小にするように選択される、
局。
［Ｃ４１］
通信のための装置であって、
第１の装置から第１の基準信号を受信するように構成された受信機と、ここにおいて、前記第１の基準信号は、第１のネットワークと関連するネットワーク共有情報および前記第１の装置と関連する特定の情報を備える、
前記装置と関連する特定の情報を含むために前記第１の基準信号内の前記ネットワーク共有情報を更新することによって第２の基準信号を生成するように構成される処理システムと、
定義された時間において前記第２の基準信号を送信するように構成された送信機と
を備え、前記定義された時間は、前記第１の基準信号の前記受信と関連するいずれの干渉も最小にするように選択される、
装置。
［Ｃ４２］
前記第２の基準信号は、ビーコン送信である、
［Ｃ４１］に記載の装置。
［Ｃ４３］
前記第２の基準信号は、第３の装置から受信されるプローブ要求に応答して生成されるプローブ応答を備える、
［Ｃ４１］に記載の装置。
［Ｃ４４］
前記第２の基準信号は、前記第３の装置から受信される前記プローブ要求に応答して送信される、
［Ｃ４３］に記載の装置。
［Ｃ４５］
受信機は、全指向性で受信される前記プローブ要求を受信するようにさらに構成される、
［Ｃ４３］に記載の装置。
［Ｃ４６］
前記定義された時間は、競合アクセス期間または専用のサービス期間内である、
［Ｃ４１］に記載の装置。
［Ｃ４７］
前記送信機は、前記第１の装置によって前記第１の基準信号の送信の頻度を下回る頻度で前記第２の基準信号を送信するようにさらに構成される、
［Ｃ４１］に記載の装置。
［Ｃ４８］
前記送信機は、前記装置と関連する１つまたは複数のアンテナが送信することができるすべての指向性において前記第２の基準信号をブロードキャストするようにさらに構成される、
［Ｃ４１］に記載の装置。
［Ｃ４９］
前記受信機は、第３の装置から発見要求を受信するようにさらに構成され、
前記処理システムは、前記第３の装置が前記第１のネットワークにアクセスすることの適格性を決定するために前記発見要求を処理するようにさらに構成され、
前記送信機は、前記第３の装置へ応答を送信するようにさらに構成され、前記応答は、前記第１のネットワークと関連する前記ネットワーク共有情報および前記第１の装置と関連する特定の情報を備える、
［Ｃ４１］に記載の装置。
［Ｃ５０］
前記第１の基準信号は、前記第１のネットワークと関連する時間同期情報を備え、前記送信機は、
前記第１のネットワークとの関連を維持する間に、第２のネットワークと関連する情報を備える第３の基準信号送信するようにさらに構成され、前記第２のネットワークと関連する前記情報は、前記第１の基準信号からの時間同期情報およびネットワーク共有情報を備える、
［Ｃ４１］に記載の装置。
［Ｃ５１］
前記ネットワーク共有情報は、
共通クロックに対するタイムスタンプセット、
前記第１のネットワークのための識別子、
前記第１のネットワークに関する能力情報、
基準信号送信間隔、
前記第１のネットワーク値に認められる装置の最大数、または
どの装置が、前記ネットワーク共有情報を含む基準信号を送信することができるのかを限定する基準信号送信制限セット
のうちの少なくとも１つを備える、
［Ｃ４１］に記載の装置。
［Ｃ５２］
前記基準信号送信制限セットは、装置能力に基づく、
［Ｃ５１］に記載の装置。
［Ｃ５３］
前記特定の情報は、
送信指向性、
受信指向性、
近隣のリスト、
拡張された近隣のリスト、
競合アクセス期間についての情報、
サービス期間についての情報、または
ビームトレーニング期間についての情報
のうちの少なくとも１つを備える、
［Ｃ４１］に記載の装置。
［Ｃ５４］
前記近隣のリストは、前記装置との接続を確立した任意の他の装置と関連する情報を備える、
［Ｃ５３］に記載の装置。
［Ｃ５５］
前記近隣のリストは、他の装置からの１つまたは複数の近隣のリストを備え、前記装置は、他の装置から前記第１または第２の基準信号のうちの少なくとも１つを受信する、
［Ｃ５３］に記載の装置。
［Ｃ５６］
前記拡張された近隣のリストは、他の装置からの１つまたは複数の近隣のリストを備え、前記装置は、他の装置から前記第１または第２の基準信号のうちの少なくとも１つを受信する、
［Ｃ５３］に記載の装置。
［Ｃ５７］
前記受信機は、ＩＥＥＥ８０２．１１プロトコルを使用して前記第１の基準信号を受信するようにさらに構成される、
［Ｃ４１］に記載の装置。
［Ｃ５８］
前記定義された時間は、
ラウンドロビン送信プロトコル、
ランダムバックオフ送信プロトコル、または
前記第１のネットワークと関連する１つまたは複数の装置から得られる情報からの支援をともなう支援されたランダムバックオフ送信プロトコル
のうちの少なくとも１つを使用して選択される、
［Ｃ４１］に記載の装置。
［Ｃ５９］
前記第１の基準信号は、
前記第１のネットワークと関連する時間同期情報、前記時間同期は、最大時間ドリフト閾値を使用して維持される、
ビーコン、
プローブ応答、または
プローブ要求
のうちの少なくとも１つを備える、
［Ｃ４１］に記載の装置。
【図１】
0005461706.tif 000002
【図２】
0005461706.tif 000003
【図３Ａ】
0005461706.tif 000004
【図３Ｂ】
0005461706.tif 000005
【図４】
0005461706.tif 000006
【図５】
0005461706.tif 000007
【図６】
0005461706.tif 000008
【図７】
0005461706.tif 000009
【図８】
0005461706.tif 000010